(57)【要約】【課題】従来、他人と放送番組を視聴共有しようとするとその著作権を侵害したり、当該番組を膨大な録画番組の中から探したりする必要があるなどの課題がある。【解決手段】上記課題解決のため、本発明は受信するＩＰアドレスで特定されるＩＰ動画サーバ装置からＩＰアドレスとともに受信するシーンＩＤを利用して動画サービスを受ける複数のＩＰ端末装置と、各ＩＰ端末装置に紐づけられるとともにテレビ放送の多数チャンネルを常時受信することで少なくとも一部は共通のシーンＩＤによって他の複数の装置にて特定可能なシーンから構成される放送番組を蓄積する複数のＩＰ動画サーバ装置と、ＩＰ端末装置からシーンＩＤを受信することでそのＩＰ端末装置に紐づけられたＩＰ動画サーバ装置のＩＰアドレスをシーンＩＤとともに同じくそのＩＰ端末装置に対して配信する管理サーバ装置とからなる動画共有システムを提供する。【選択図】図２
2012039417.tif 000002
【特許請求の範囲】
【請求項１】
受信するＩＰアドレスで特定されるＩＰ動画サーバ装置から前記ＩＰアドレスとともに受信するシーンＩＤを利用して動画サービスを受ける複数のＩＰ端末装置と、
各ＩＰ端末装置に紐づけられるとともにテレビ放送の多数チャンネルを常時受信することで、少なくとも一部は共通のシーンＩＤによって他の複数の装置にて特定可能なシーンから構成される放送番組を蓄積する複数のＩＰ動画サーバ装置と、
ＩＰ端末装置からシーンＩＤを受信することでそのＩＰ端末装置に紐づけられたＩＰ動画サーバ装置のＩＰアドレスをシーンＩＤとともに同じくそのＩＰ端末装置に対して配信する管理サーバ装置と、
からなる動画共有システム。
【請求項２】
前記ＩＰ端末装置は、
シーンＩＤを管理サーバ装置に送信することで受信したＩＰアドレスを利用したリダイレクト処理によってＩＰ動画サーバ装置にアクセスするリダイレクト処理部を有する請求項１に記載の動画共有システム。
【請求項３】
前記ＩＰ動画サーバ装置は、
ＩＰ端末装置からのシーンＩＤによって特定可能なシーンから構成される放送番組を蓄積しているか否か判断する判断部と、
蓄積していないとの判断結果である場合に所定の処理を実行する命令を当該ＩＰ端末装置に返信する命令返信部と、を有する請求項１または２に記載の動画共有システム。
【請求項４】
前記シーンＩＤは、放送局の識別情報、放送範囲の識別情報、放送形態の識別情報、そしてシーンの開始時間情報の組み合わせである請求項１から３のいずれか一に記載の動画共有システム。
【請求項５】
前記ＩＰ動画サーバ装置は、
多数チャンネルの常時受信によって蓄積した放送番組の開始／終了時刻を取得する放送開始／終了時刻取得部と、
前記取得した放送開始／終了時刻で番組を区別し、区別した各番組を一つのファイルとして管理する番組ファイル管理部と、を有する請求項１から４のいずれか一に記載の動画共有システム。
【発明の詳細な説明】
【技術分野】
【０００１】
本発明は、友人間などでの動画の視聴体験の共有を、著作権を侵害せずにかつ効率的に行うための技術に関する。
【背景技術】
【０００２】
テレビ放送番組は、テレビ受像機が各家庭に普及し、かつ基本的に無料で一斉同報送信されるため、他人と動画の視聴体験を共有しやすいコンテンツであると言える。そのため例えば職場や学校などのコミュニティー内で、共通に視聴した番組について話し合う、という具合にコミュニケーションツールとしての役割も果たしている。
【０００３】
しかし、テレビ放送は基本的に多チャンネルで複数の番組が同時に放送されており、同時間帯には別の番組を見ていた（録画していた）ために動画の視聴体験を共有できないこともある。なお、このような場合にインターネット上のファイルサーバや動画投稿サイトなどを利用して録画した放送番組データを他人と共有する方法もあるが、これは明らかに放送番組の著作権を侵害する行為であり問題である。
【０００４】
そこで、現在、記録媒体の記録容量の向上や記録時のデータ圧縮方式の進化などを背景に、「全番組録画（ほぼ全チャンネルの終日録画）」を可能とする録画機器も一般に提供されている。このような録画機器を利用すれば、話題となった放送番組について放送時に動画の視聴体験を共有できていなくとも、後でいつでも視聴して他のユーザと動画の視聴体験を共有することができる。
【０００５】
また、特許文献１には、あるユーザが現在視聴している番組の特定情報をその他のユーザのテレビ受像機に配信し、その他のユーザのテレビ受像機ではその特定情報にしたがって該当する番組を子画面で表示したり録画したりするなどの構成を備える発明が開示されている。
【先行技術文献】
【特許文献】
【０００６】
【特許文献１】特開２００４−２０７８９７号公報
【発明の概要】
【発明が解決しようとする課題】
【０００７】
しかし、上記従来の技術には以下のような課題がある。すなわち、前述のようにインターネット上のファイルサーバなどに録画した放送番組データをアップロードして他人と共有する場合、放送番組の著作権を侵害しているという課題がある。
【０００８】
また、「全番組録画」を可能とする録画機器を利用する場合、例えば他のユーザが知らされた番組について動画の視聴体験を共有しようとすると、録画された膨大な番組の中から該当する番組を探す必要がある、という課題がある。
【０００９】
また、特許文献１では、番組の特定情報を通知しあうユーザ同士をあらかじめグループ化し、当該グループに属するユーザの識別情報などを登録して管理する必要がある、という課題がある。
【００１０】
さらに、現在視聴（放送）している番組に関して実行される処理であるため、他のユーザは別の番組を視聴中や録画中であっても特定情報で通知された番組が子画面で表示されたりチャンネルが半強制的に切換わったりするなど今までの視聴や録画が邪魔されてしまう、という課題もある。
【課題を解決するための手段】
【００１１】
以上の課題を解決するために、本発明は、以下のような構成を備える動画共有システムを提供する。すなわち、各ユーザは自宅などに自身の所有する録画機器としてＩＰ動画サーバ装置を設置し、そのＩＰ動画サーバ装置にてテレビ放送の各チャンネルを常時受信し録画蓄積させておく。
【００１２】
そして、あるユーザが動画を共有したい場合には、その動画のシーン等を識別するシーンＩＤを含むアドレス（ＵＲＬなど）を例えばインターネット上の掲示板などに投稿し他のユーザに公開する。また、そのアドレスは、ユーザの所持する携帯電話などのＩＰ端末装置とそのユーザのＩＰ動画サーバ装置とを紐付けて管理している管理サーバ装置へのアクセスアドレスでもある。
【００１３】
したがって他のユーザが自身のＩＰ端末装置を利用して当該アドレスへのアクセス処理を実行すると、当該ＩＰ端末装置は、まず管理サーバ装置へとアクセスすることになる。そして管理サーバ装置では、上記管理情報にしたがってそのアクセス元のＩＰ端末装置と紐付けられているＩＰ動画サーバ、すなわちアクセス元ユーザの所有する録画機器を特定し、そのＩＰアドレスを取得する。
【００１４】
そして、そのＩＰアドレスにシーンＩＤを加えたレスポンスをアクセス元のＩＰ端末装置に返信することで、ＩＰ端末装置は、自身に紐付けられた（所有ユーザが同一の）ＩＰ動画サーバ装置にアクセスすることができる。そしてそこで常時受信し蓄積されている放送番組、つまりＩＰ端末装置のユーザが自身の権利内で録画保存した放送番組の中から、そのシーンＩＤで特定される番組を再生視聴することができる、という具合である。
【００１５】
そして、そのために本発明は、受信するＩＰアドレスで特定される動画サーバ装置から前記ＩＰアドレスとともに受信するシーンＩＤを利用して動画サービスを受ける複数のＩＰ端末装置と、各端末装置に紐づけられるとともにテレビ放送の多数チャンネルを常時受信することで、少なくとも一部は共通のシーンＩＤによって他の複数の装置にて特定可能なシーンから構成される放送番組を蓄積する複数のＩＰ動画サーバ装置と、端末装置からシーンＩＤを受信することでその端末装置に紐づけられた動画サーバ装置のＩＰアドレスをシーンＩＤとともに同じくその端末装置に対して配信する管理サーバ装置と、からなる動画共有システムを提供する。
【００１６】
また、前記ＩＰ端末装置が、シーンＩＤを管理サーバ装置に送信することで受信したＩＰアドレスを利用したリダイレクト処理によってＩＰ動画サーバ装置にアクセスするリダイレクト処理部を有する動画共有システムも提供する。
【００１７】
また、前記ＩＰ動画サーバ装置が、ＩＰ端末装置からのシーンＩＤによって特定可能なシーンから構成される放送番組を蓄積しているか否か判断する判断部と、蓄積していないとの判断結果である場合に所定の処理を実行する命令を当該ＩＰ端末装置に返信する命令返信部と、を有する動画共有システムも提供する。
【００１８】
また、前記シーンＩＤが、放送局の識別情報、放送範囲の識別情報、放送形態の識別情報、そしてシーンの開始時間情報との組み合わせである動画共有システムも提供する。
【００１９】
また、前記ＩＰ動画サーバ装置が、多数チャンネルの常時受信によって蓄積した放送番組の開始／終了時刻を取得する放送開始／終了時刻取得部と、前記取得した放送開始／終了時刻で番組を区別し、区別した各番組を一つのファイルとして管理する番組ファイル管理部と、を有する動画共有システムも提供する。
【発明の効果】
【００２０】
以上のような構成をとる本発明を利用した動画共有では、ユーザがＩＰ端末装置で再生視聴する放送番組は自身が自宅などで所有するＩＰ動画サーバ装置に蓄積されているものであり、管理サーバ装置は単にアドレスの転送を行う程度の関与であるため、放送番組の著作権を侵害することがない。
【００２１】
そして、あるユーザが示すシーンＩＤを含むアドレスにアクセスするだけで多チャンネルの常時録画をしているＩＰ動画サーバ装置から該当する番組を容易に視聴することができる。また、番組を共有したいユーザ同士をあらかじめグループ化する必要が無く、シーンＩＤを含むアドレスを掲示板に投稿するなどするだけで他のユーザと動画を共有することができる。
【図面の簡単な説明】
【００２２】
【図１】実施例１の動画共有システムを利用した動画の視聴共有の一例を説明するための概念図
【図２】実施例１の動画共有システムにおける機能ブロックの一例を表す図
【図３】実施例１の管理サーバ装置で管理されているデータの一例を表す図
【図４】実施例１の動画共有システムにおける登録画面の一例を表す図
【図５】実施例１の動画共有システムのＩＰ端末装置におけるハードウェア構成の一例を表す図
【図６】実施例１の動画共有システムのＩＰ動画サーバ装置におけるハードウェア構成の一例を表す図
【図７】実施例１の動画共有システムの管理サーバ装置におけるハードウェア構成の一例を表す図
【図８】実施例１の動画共有サービスにおける処理の流れの一例を表すシーケンス図
【図９】実施例２の動画共有システムにおける機能ブロックの一例を表す図
【図１０】実施例２の動画共有サービスにおける処理の流れの一例を表すシーケンス図
【図１１】実施例３の動画共有システムにおけるシーンＩＤの一例を表す図
【図１２】実施例４の動画共有システムにおける機能ブロックの一例を表す図
【図１３】実施例４の番組ファイル管理部での番組管理の一例を表す概念図
【図１４】実施例４の動画共有サービスにおける処理の流れの一例を表すフローチャート
【発明を実施するための形態】
【００２３】
以下に、図を用いて本発明の実施の形態を説明する。なお、本発明はこれら実施の形態に何ら限定されるものではなく、その要旨を逸脱しない範囲において、種々なる態様で実施しうる。
【００２４】
なお、実施例１は、主に請求項１、２について説明する。また、実施例２は、主に請求項３について説明する。また、実施例３は、主に請求項４について説明する。また、実施例４は、主に請求項５について説明する。
【００２５】
≪実施例１≫
<概要>
図１は、本実施例の動画共有システムを利用した動画の視聴共有の一例を説明するための概念図である。この図にあるように、まず、ユーザＡは例えば自宅内に録画機器を設置し、多チャンネルの常時録画を行わせる。また、自身の所持する携帯電話などを利用してサービス提供サイトへアクセスし、そこで自身の携帯電話の識別情報と録画機器の識別情報を紐付けて登録する。
【００２６】
その後、例えばある放送番組のコミュニティサイトなどで話題のシーンを特定するシーンＩＤを含むＵＲＬ（ユニフォームリソースロケータ）がその他のユーザによって貼り付けられる。そして、そのシーンを携帯電話で見ようと思うユーザＡは、携帯電話のブラウザ機能を利用して当該コミュニティサイトを表示し前述のＵＲＬをクリックする。すると携帯電話は、まず、そのＵＲＬで示される管理サーバへとアクセスする。
【００２７】
なお、管理サーバとは、上記携帯電話と録画機器の識別情報を紐付けて登録したサービス提供サイトを管理するサーバである。そして管理サーバでは、前述の登録情報によってそのアクセス元の携帯電話と紐付けられている録画機器の識別情報を特定し、当該識別情報を携帯電話に返信する。
【００２８】
すると携帯電話では自身に紐付けられた（つまり管理所持するユーザが同一である）録画機器の識別情報と、前記クリックしたＵＲＬで示されるシーンＩＤとを取得することができるので、それを利用して上記自宅に設置した録画機器にアクセスする。そしてそのアクセスによって録画機器から返信されてきた放送番組の録画データを再生視聴することができる。
【００２９】
このようにして携帯電話では、他のユーザが投稿などしたＵＲＬをクリックするだけで、自身と紐付けられている録画機器にて蓄積されている当該放送番組を視聴することができ、他のユーザと動画の視聴体験を簡単に共有することができる、という具合である。
【００３０】
<機能的構成>
図２は、本実施例の動画共有システムにおける機能ブロックの一例を表す図である。なお、以下に記載するシステムや各装置の機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。
【００３１】
あるいは本システムの機能ブロックは専用ハードウェアによって実現されてもよい。また、この発明はシステムとして実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００３２】
この図２にあるように、本実施例の動画共有システムは、複数の「ＩＰ端末装置」（０２００ａ〜ｃ）と、複数の「ＩＰ動画サーバ装置」（０２１０ａ〜ｃ）と、「管理サーバ装置」（０２２０）と、からなる。
【００３３】
「ＩＰ端末装置」（０２００）は、受信するＩＰアドレスで特定される動画サーバ装置から前記ＩＰアドレスとともに受信するシーンＩＤを利用して動画サービスを受ける機能を有する。なお、「シーンＩＤ」とは、動画サービスで再生視聴される放送番組やそのシーンを特定するための識別情報をいい、例えば番組を識別するためのチャンネルＩＤや放送開始時刻情報、放送地域ＩＤ、放送種別ＩＤ（地上波デジタル放送、ＢＳ放送、ＣＳ放送など）などが挙げられる。また、その中の所定のシーンを識別するため、そのシーンが開始される時刻を放送開始からの経過時間やフレーム数などで示す情報などが含まれていてもよい。
【００３４】
そして本実施例のＩＰ端末装置は、具体的には上記システム概要の一例で説明したように、例えばインターネット上の掲示板や各種ソーシャルサービスなどで一般に公開されているＵＲＬで示される装置にアクセスする。そしてそのＵＲＬは、ＩＰ端末装置のユーザが自宅内などに設置している放送番組の録画機器である「ＩＰ動画サーバ装置」のアドレスを含まないＵＲＬであり、後述する管理サーバ装置のＩＰアドレス（又はそれを変換した文字列）とシーンＩＤ（視聴再生する番組やその再生シーン位置などを特定するための情報）を含むことを特徴とするＵＲＬである。
【００３５】
つまり、上記ＵＲＬがユーザ個別のＩＰ動画サーバ装置のＩＰアドレスを含む場合、あるユーザが私的利用の範囲で録画した放送番組を他のユーザが視聴することとなってしまい著作権上都合がよくない。そこで本実施例の動画共有システムでは、ユーザが個別に所持管理するＩＰ動画サーバ装置に自身のＩＰ端末装置でアクセスすることを目的としつつ、そのＩＰ動画サーバ装置のＩＰアドレスを含まずに一般的に公開されている管理サーバ装置のＩＰアドレスを含むＵＲＬを利用することができるよう構成している、という具合である。
【００３６】
そして本実施例のＩＰ端末装置は、後述する管理サーバ装置の処理によって当該ＵＲＬへのアクセスに応じて自身と紐付けられたＩＰ動画サーバ装置のＩＰアドレスを取得することができるので、そのＩＰアドレスにアクセスしユーザ自身が管理するＩＰ動画サーバ装置において私的利用の範囲内で録画された放送番組の再生視聴などの動画サービスを受けることができる。
【００３７】
なお、このＩＰ端末装置はＩＰ（インターネットプロトコル）の処理機能を有しネットワーク網に接続可能な端末装置であれば特に限定せず、例えば携帯電話やＰＨＳ（パーソナル・ハンディフォン・システム）、ＰＤＡ（パーソナル・デジタル・アシスタンツ）、スマートフォン、ノートパソコンなどの可搬型の情報通信端末、あるいは自宅内外に設置されたデスクトップ型ＰＣなどが挙げられる。
【００３８】
「ＩＰ動画サーバ装置」（０２１０）は、各端末装置に紐づけられるとともにテレビ放送の多数チャンネルを常時受信することで、少なくとも一部は共通のシーンＩＤによって他の複数の装置にて特定可能なシーンから構成される放送番組を蓄積する機能を有する。
【００３９】
具体的に、このＩＰ動画サーバ装置は、上記ＩＰ端末装置に紐づけられる第一の特徴とする。「紐付けられる」とは、ＩＰ動画サーバ装置の識別情報とＩＰ端末装置の識別情報とが関連付けられて後述する管理サーバ装置にて管理されることをいうが、前述の著作権上の観点から、関連付けられるＩＰ動画サーバ装置とＩＰ端末装置は、その所持管理するユーザが同一であることが前提である。なお、その前提を満たしていれば、一のＩＰ動画サーバ装置に対して複数のＩＰ端末装置が紐付けられていても良い。
【００４０】
また、このＩＰ動画サーバ装置は、第二にテレビ放送の多数チャンネルを常時受信することができるよう構成されていることを特徴とする。これは、常時受信するチャンネル数に応じた複数チューナやデコーダなどを備えることで実現できる。また、ＩＰ動画サーバ装置は、そのようにして受信された複数の放送番組を少なくとも1日分（朝５時から夜２時までなど）以上は蓄積可能な記録媒体に蓄積できるよう構成すると良い。
【００４１】
そして、このように常時受信し蓄積された放送番組は、例えば放送区域が同じ場所に設置されたＩＰ動画サーバ同士であれば、前述のシーンＩＤによって同じシーンが特定できる。具体的には、このＩＰ動画サーバ装置はシーンＩＤを解釈するためのルールや、その識別情報が示す情報内容を特定するためのテーブルデータなどを保持している。そしてシーンＩＤが「０５０１０２０１００４０１１９００」などで示されていれば、前記解釈ルールに従って最初の２桁がその番組の「放送局のチャンネル番号」といった具合に判断する。また次の２桁が「放送地域の識別情報」、さらに次の２桁が「放送形態の識別情報」であれば、前記テーブルデータを別途参照して、その識別情報で特定される放送地域「関東地方」や放送形態「地上波デジタル放送」などの情報を取得することができる。
【００４２】
したがって、共通のシーンＩＤを共有することによってＩＰ動画サーバ装置が同じ放送番組やその同じ番組のシーンを特定し、複数のユーザでその動画の視聴体験を共有できるという具合である。
【００４３】
なお、このＩＰ動画サーバ装置もＩＰの処理機能を有しネットワーク網に接続可能であり、さらに多数の放送番組を常時録画可能な録画機器であれば特に限定せず、ＨＤＤ／ＤＶＤ／次世代ＤＶＤレコーダや録画機能付ゲーム機、テレビチューナ付ＰＣ、セットトップボックスなどが挙げられる。
【００４４】
「管理サーバ装置」（０２２０）は、ＩＰ端末装置からシーンＩＤを受信することでそのＩＰ端末装置に紐づけられた動画サーバ装置のＩＰアドレスをシーンＩＤとともに同じくそのＩＰ端末装置に対して配信する機能を有する。
【００４５】
図３は、この管理サーバ装置で管理されているデータの一例を表す図である。この図にあるように、管理サーバ装置ではＩＰ端末装置の識別情報とＩＰ動画サーバ装置の識別情報およびＩＰアドレスとを関連付けたテーブルデータなどを自身の記録媒体に記録、保持するよう構成している。このようにして、例えば識別情報が「ｃ１０；ｓｅｒＸＸＸ」であるＩＰ端末装置からのアクセスに対して、そのＩＰ端末装置に紐付けられているＩＰ動画サーバ装置のＩＰアドレスを特定し返信することができる。
【００４６】
なお、このようなテーブルデータはユーザからの登録を受付けることで取得すると良い。図４は、この登録画面の一例を表す図である。例えば装置のセットアップ時などにネットワーク接続可能なユーザ端末装置からこの管理サーバ装置にアクセスすることで、当該端末装置の画面上に図に示すような登録画面が表示される。そして、この登録画面にしたがってＩＰ端末装置の識別情報やＩＰ動画サーバ装置の識別情報、あるいはそのＩＰアドレスなどを入力させ送信させる、という具合である。なお、入力されるＩＰ端末装置の識別情報は、例えばユーザが任意に入力するユーザＩＤなどであっても良い。その場合、後の動画サービスを受けるためのＩＰ端末装置からのアクセス時にユーザＩＤ（及びパスワード）の入力をさせることで、ＩＰ端末装置の識別情報（ユーザＩＤ）を取得することができる。
【００４７】
また、上記識別情報などの登録に利用する端末がＩＰ端末装置やＩＰ動画サーバ装置であれば、その機器固有番号や固定のＩＰアドレスなどを自動的に取得し送信する構成とし、その他の情報のみをユーザからの入力で取得するようにしても良い。
【００４８】
そして、このようにして取得されたＩＰ端末装置の識別情報とＩＰ動画サーバ装置の識別情報やＩＰアドレスの紐付け情報を利用して、管理サーバ装置はＩＰ端末装置からのアクセスに対して紐付けられたＩＰ動画サーバ装置のＩＰアドレスを返信することができる。
【００４９】
また、ＩＰ端末装置では、そのように返信されたＩＰアドレスを利用してリダイレクト処理を行いＩＰ動画サーバ装置にアクセスするリダイレクト処理部を有するよう構成すると良い。なお「リダイレクト処理」とは、最初の管理サーバ装置へのアクセス後に返信されたＩＰアドレスに対して、ユーザの操作入力を受付けることなく自動的にアクセスする処理をいう。また、リダイレクト処理の方法については、例えば従来周知のＨＴＭＬ文書中のＭｅｔａタグを利用する方法やクライアントスクリプトを利用する方法などが挙げられる。
【００５０】
以上の構成によって、例えばインターネット上のコミュニティサイト掲示板やメールなどの各種手段で知りえたシーンＩＤを含むＵＲＬをＩＰ端末装置にてクリックすることで、自動的に自身に紐付けられたＩＰ動画サーバ装置にアクセスし、そのアクセスで指定されるシーンＩＤの配信要求をすることができる。
【００５１】
そして、上記ＩＰ端末装置が最初にクリックするＵＲＬには、自身に紐付けられたＩＰ動画サーバ装置のアドレスではなく、一般に公開されている管理サーバ装置のアドレスが含まれているものであるため、誰でも動画の視聴体験を共有したいシーンのシーンＩＤを含むＵＲＬを作成し、著作権を侵害することなく公開することができる。
【００５２】
<ハードウェア構成>
図５から７は、上記各装置のハードウェア構成の一例を表す概略図である。この図を利用して動画の視聴再生処理におけるそれぞれのハードウェア構成部の働きについて説明する。
【００５３】
まず、本実施例の動画共有システムを構成する「ＩＰ端末装置」のハードウェア構成及びその処理について図５を用いて説明する。この図にあるように、「ＩＰ端末装置」は、各種演算処理を実行するための「ＣＰＵ（中央演算装置）」（０５０１）と「主メモリ」（０５０２）を有している。また、ユーザからの操作入力を受付ける「入力デバイス」（０５０３）や、情報表示を行う「ディスプレイ」（０５０４）、インターネットなどの通信回線に接続する「通信回路」（０５０５）なども備えている。
【００５４】
そして「主メモリ」にはプログラムが読み出され、「ＣＰＵ」は読み出された当該プログラムを参照し、プログラムで示される手順に従い各種演算処理を実行する。また、この「主メモリ」や図示しない「外部記憶装置」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００５５】
ここで、まずＩＰ端末装置は管理サーバ装置にアクセスし、以下の処理を行うことで前述の「紐付けられた」ＩＰ動画サーバ装置の登録手続きを行う。なおこの登録手続は、以下に説明するようにＩＰ端末装置の処理にて実現されても良いし、同様の処理をＩＰ動画サーバ装置にて行うことで実現されても良い。
【００５６】
まず、ＩＰ端末装置は、「入力デバイス」を介したユーザ操作に応じてＷＷＷブラウザプログラムを起動し、管理サーバ装置にアクセスする。すると、そのレスポンスとして管理サーバ装置から返信された図４に示すような登録画面を表示するためのデータを「通信回路」にて受信し、当該登録画面を「ディスプレイ」に表示する。そしてユーザはＩＰ動画サーバ装置のグローバルＩＰアドレスやプライベートＩＰアドレスなどを確認し、それらアドレスを「入力デバイス」を操作して当該登録画面内に入力する（ＩＰ動画サーバ装置が登録手続を行う場合、自身のアドレスを自動的に取得し送信する構成としても良い）。
【００５７】
また、ＩＰ端末装置の識別情報として、ユーザはユーザＩＤ（またそれに合せたパスワード）も「入力デバイス」を介して入力する。そして登録画面上の送信ボタンがクリックされると、ＩＰ端末装置は入力された各データを登録情報として管理サーバ装置に「通信回路」を介して送信する。
【００５８】
その後、例えばある野球中継番組Ａでの歴史的ファインプレーシーンが話題となり、プロ野球に関するフォーラムサイト上で、本実施例の動画共有システムを利用して当該シーンを視聴するためのＵＲＬであって、管理サーバ装置のアドレスとシーンＩＤとを含むＵＲＬが公開された。あるいは同様のＵＲＬがメールなどで知人から送られてきた。そこでこのＩＰ端末装置のユーザはブラウザプログラムを起動し、その公開（通知）されたＵＲＬをクリックする。するとＩＰ端末装置は、クリックで指定されたＵＲＬを取得し「主メモリ」に格納する。そしてブラウザプログラムに従った「ＣＰＵ」の演算処理によって当該ＵＲＬで示される管理サーバ装置へアクセスし、シーンＩＤを「通信回路」から送信する。すると、サーバ管理装置より返信されたユーザ認証画面データを「通信回路」にて受信し、それに基づきユーザ認証画面を「ディスプレイ」に表示する。そして、そこに入力したユーザＩＤ（及び認証用パスワード）を管理サーバ装置に対して送信する。
【００５９】
そして、管理サーバ装置にてその認証が正しく為されると、前述のように管理サーバ装置から返信された（紐付けられた）ＩＰ動画サーバ装置のアドレスとシーンＩＤとを「通信回路」にて受信し、「主メモリ」に格納する。そして例えばリダイレクトプログラムに従った「ＣＰＵ」の演算処理によって受信したアドレスで示される自身に紐付けられたＩＰ動画サーバ装置へ自動アクセスし、シーンＩＤを「通信回路」から送信する。
【００６０】
そして、送信したシーンＩＤにしたがって返信された上記野球中継番組の動画データを「通信回路」にて受信し、図示しないソフトウェア／ハードウェアデコーダによってデコードし「ディスプレイ」にて再生表示する、という具合である。なお、当該歴史的ファインプレーのシーンの再生に関しては、例えばそのシーンの開始時刻などをシーンＩＤに含みＩＰ動画サーバ装置に送信することで、ＩＰ動画サーバ側で当該シーンから再生されるよう動画データが返信される構成としても良い。あるいはＩＰ動画サーバ装置に送信されるシーンＩＤにはその野球中継番組を特定する情報のみ含むようにし、ＩＰ端末装置側で返信された動画データに関してそのファインプレーシーンから再生されるよう処理する構成としても良い。
【００６１】
続いて、図６を用い本実施例の動画共有システムを構成する「ＩＰ動画サーバ装置」のハードウェア構成及びその処理について説明する。この図にあるように、「ＩＰ動画サーバ装置」は、各種演算処理を実行するための「ＣＰＵ」（０６０１）と「主メモリ」（０６０２）を有している。また、放送番組を常時受信するための複数の「チューナ」（０６０３）や、録画した番組を蓄積する「ＨＤＤ（ハードディスク・ドライブ）」（０６０４）、インターネットなどの通信回線に接続する「通信回路」（０６０５）なども備えている。
【００６２】
そして、まずＩＰ動画サーバ装置は、図示しない「フラッシュメモリ」などに保持されている録画プログラムに従い、複数の「チューナ」にて常時受信している各放送番組のストリームデータなどを録画データとして「ＨＤＤ」に蓄積する。
【００６３】
そして、前述のようにＩＰ端末装置にて管理サーバ装置からのリダイレクト用情報に基づくアクセスが実行され、「通信回路」にてシーンＩＤを受信する。するとＩＰ動画サーバ装置は、動画返信プログラムにしたがった「ＣＰＵ」の演算処理によってシーンＩＤにて示される「放送チャンネル」や「放送時刻」などの情報をキーとして「ＨＤＤ」に蓄積されている番組データの中から該当するものを特定する。そして、シーンＩＤで所定のシーン（歴史的ファインプレーのシーンなど）を指定する時間情報などが含まれていれば、特定した番組データにてそのシーンからの再生が実行されるよう、例えば番組データの中から当該シーンの開始フレームを特定し、「通信回路」を介してアクセス元のＩＰ端末装置にそのシーンからの動画データを返信する。また、シーンの指定が無い場合や所定シーンからの開始処理をＩＰ端末装置側で実行する場合には、特定した番組の動画データを頭から返信しても良い。
【００６４】
続いて、図７を用い本実施例の動画共有システムを構成する「管理サーバ装置」のハードウェア構成及びその処理について説明する。この図にあるように、「管理サーバ装置」は、各種演算処理を実行するための「ＣＰＵ」（０７０１）と「主メモリ」（０７０２）を有している。また、登録データなどを保持する「ＨＤＤ（０７０３）、インターネットなどの通信回線に接続する「通信回路」（０７０４）なども備えている。
【００６５】
そして、まず管理サーバ装置は、ＩＰ端末装置やＩＰ動画サーバ装置からのアクセスに応じて、図４に示すような登録画面を表示させるためのデータをアクセス元の装置に対して返信する。そして、当該登録画面に入力され返信されてきたＩＰ端末装置の識別情報（ユーザＩＤ）やＩＰ動画サーバ装置のＩＰアドレスなどを関連付けてテーブルデータとして「ＨＤＤ」などに記録する。
【００６６】
その後、前述のように例えばプロ野球に関するフォーラムサイト上で公開されたＵＲＬのクリックによって、ＩＰ端末装置からアクセス（シーンＩＤを含む）が実行される。すると管理サーバ装置では当該ＩＰ端末装置の識別情報を取得する。なおその取得形態は特に限定しないが、例えば端末識別情報取得プログラムにしたがった「ＣＰＵ」の演算処理によって、ユーザ認証画面をアクセス元のＩＰ端末装置に対して返信する。そしてそのユーザ認証画面にて入力された返信されてきたユーザＩＤをＩＰ端末識別情報として「主メモリ」に格納する方法などが挙げられる。
【００６７】
もちろん、ＩＰ端末装置の識別情報が装置の固体番号等であって、かつユーザ認証の必要が無い場合などには、前記アクセスのＨＴＴＰリクエストのヘッダ中に含まれる当該固体番号を取得するなど様々な構成でＩＰ端末装置の識別情報を取得することができる。
【００６８】
そして認証処理を伴う場合には、「ＣＰＵ」の演算処理によって予め登録されているユーザＩＤとパスワードの組合せとの比較が実行される。そして組み合わせが一致すれば正規ユーザであるとの判断結果を「ＣＰＵ」が出力する。
【００６９】
そして、ＩＰアドレス取得プログラムにしたがって「ＣＰＵ」が「主メモリ」に格納されているＩＰ端末装置の識別情報をキーとして、「ＨＤＤ」に保持されているテーブルデータの検索処理を実行する。そして検索にヒットしたＩＰ動画サーバ装置のアドレスを「主メモリ」に格納する。そして、返信プログラムにしたがった「ＣＰＵ」の演算処理によって、そのＩＰ動画サーバ装置のアドレスと前記アクセスに含まれるシーンＩＤを「通信回路」を介してアクセス元のＩＰ端末装置に返信する。
【００７０】
以上のように、公開などされているシーンＩＤを含むＵＲＬをＩＰ端末装置にてクリックすることで、ＩＰ端末装置は自動的に自身に紐付けられたＩＰ動画サーバ装置にアクセスし、そのアクセスで指定されるシーンＩＤの配信要求をすることができる。
【００７１】
<処理の流れ>
図８は、本実施例の動画共有サービスにおける処理の流れの一例を表すシーケンス図である。なお、以下に示す処理の流れは、計算機の各ハードウェア構成によって実行されるものであっても良いし、媒体に記録され計算機を制御するためのプログラムを構成するものであっても構わない。
【００７２】
ここで、図示していないが、まずあるユーザが、自身の見た放送番組のシーンの視聴を共有しようと考えた。しかし自分のＩＰ動画サーバ装置の録画した当該シーンを公開した場合、当然著作権法上の私的利用の範囲外となってしまうので、このユーザは本実施例の動画共有システムを利用しようと考える。
【００７３】
そこで、まず例えばジェネレータプログラムなどを使って管理サーバ装置のＩＰアドレスと、他のユーザと動画の視聴体験を共有したい放送番組のシーンＩＤとを含むＵＲＬを生成し、そのＵＲＬを例えばインターネット上のコミュニティサイトの掲示板に貼り付けて公開したり、あるいは知人にメールなどで通知したりする。
【００７４】
なお、上記ジェネレータプログラムによるシーンＩＤを含むＵＲＬの生成方法については以下のような方法が挙げられる。具体的に、例えば放送番組名やその放送チャンネルＩＤ、放送開始時刻情報などの入力を促す入力画面を表示する。そして、そこに入力された情報と、予め定められている管理サーバ装置のＩＰアドレスやＵＲＬとを所定の変換式で数字文字記号列などに変換しＵＲＬとして出力する、という具合である。
【００７５】
また、上記ＵＲＬに含まれるシーンＩＤは番組を特定するＩＤとなるが、例えば音楽番組のアーティストＡの出演部分や、野球中継のホームラン場面といった具合に番組内の所定のシーンを特定するケースも想定される。その場合には、入力情報として上記に加えてシーンの開始時間情報（そのシーンの放送時刻や番組開始からの経過時間）などを入力させるようにしても良い。
【００７６】
また上記所定のシーンの開始時間の特定にはその他にも様々な方法が考えられる。例えばＩＰ動画サーバ装置や管理サーバ装置にて、放送番組に含まれる字幕データやデータ放送のデータ内容などをその放送時間と関連付けて管理しておく。そうすればシーンの開始位置で表示された字幕やデータ放送のデータ（例えばアーティスト名や曲名など）を所定のシーンを特定するためのシーンＩＤとして機能させることができる。また、ＩＰ動画サーバ装置や管理サーバ装置にて放送番組の音声データを自動でテキストデータに変換し、その放送時間と関連付けて管理しておく構成としても良い。その場合には、字幕やデータ放送データの替わりに、シーンの開始位置で出力された音声のテキスト化データを所定のシーンを特定するためのシーンＩＤとして機能させることができる。
【００７７】
あるいは、ある放送番組に関してリアルタイムで感想などを投稿することができる掲示板やソーシャルサービスなども提供されている。つまり番組に対してリアルタイムで投稿される感想などの文字列を、所定のシーンを特定するためのシーンＩＤとすることもできる。具体的には、管理サーバ装置（場合によってはＩＰ動画サーバ装置）にて、放送番組の識別情報と、その放送番組に関する書き込みがリアルタイムで為される掲示板やソーシャルサービスのＵＲＬを関連付けて保持しておく。または掲示板やソーシャルサービスのタイトルなどを対象として番組名をキーとする検索処理を実行する。
【００７８】
そして、番組の放送開始とともに当該掲示板などの書込み内容をその書込み時間と関連付けて蓄積する（同じ書込み内容が所定時間内に重複している場合は先の書込み時間と関連付けると良い）。すると、例えば野球のホームランシーンの放送直後に「ホームラン！逆転！！」などの書込みがなされるので、そのホームラン場面の放送時間に合せて「ホームラン」「逆転」などの文字列が関連付けて蓄積されることになる。このようにして、字幕やデータ放送データの替わりに、シーンの開始位置に関連すると思われる掲示板などに投稿されたキーワードを、所定のシーンを特定するためのシーンＩＤとして機能させることもできる。
【００７９】
そして、このように作成され公開や通知などされたシーンＩＤを含むＵＲＬに興味を持った他のユーザは、この図にあるように自身のＩＰ端末装置のブラウザ機能などを利用してこのＵＲＬをクリックする。すると、ＩＰ端末装置から管理サーバ装置へのアクセスが実行される。すると（未ログインの場合）ログイン画面が返信されるので、ユーザはＩＰ端末装置に表示されたログイン画面に従いユーザＩＤやパスワードなどを入力する。そしてその入力データが予め登録されたデータと同一の組み合わせであれば認証成功として次のステップに進む。
【００８０】
すなわち、管理サーバ装置は入力されたユーザＩＤやそのアクセスに含まれる端末のＩＤなどをキーとして、前述のように予めユーザ登録させるなどして生成した図３に示すようなテーブルデータを検索する。そして、検索結果として取得されたＩＰ動画サーバ装置のＩＰアドレスと送信されてきたシーンＩＤとを含むリダイレクト用の情報をアクセス元のＩＰ端末装置に返信する。
【００８１】
すると、ＩＰ端末装置では受信したリダイレクト用の情報を利用したリダイレクト処理を行い、自身に紐付けられた（所持管理するユーザが同一の）ＩＰ動画サーバ装置へシーンＩＤを含むＨＴＴＰリクエストを実行する。
【００８２】
そしてＩＰ動画サーバ装置では（場合によってはＨＴＴＰリクエストに含まれる端末装置のＩＤや、あるいは別途入力させるユーザＩＤやパスワードなどを利用した認証処理を実行し）、受信したシーンＩＤをもとに配信する動画データを特定する。そして特定した動画（放送番組）データをリクエスト元のＩＰ端末装置に返信し、ＩＰ端末装置ではその動画の再生が実行される、という具合である。
【００８３】
<効果の簡単な説明>
以上のように本実施例の動画共有システムによって、例えばインターネット上のコミュニティサイト掲示板やメールなどの各種手段で知りえたシーンＩＤを含むＵＲＬをＩＰ端末装置にてクリックすることで、自動的に自身に紐付けられたＩＰ動画サーバ装置にアクセスし、そのアクセスで指定されるシーンＩＤの配信要求をすることができる。つまりユーザがＩＰ端末装置で再生視聴する放送番組は自身が自宅などで所有するＩＰ動画サーバ装置に蓄積されているものであり、管理サーバ装置は単にアドレスの転送を行う程度の関与であるため、放送番組の著作権を侵害することがない。
【００８４】
そして、上記ＩＰ端末装置が最初にクリックするＵＲＬには、自身に紐付けられたＩＰ動画サーバ装置のアドレスではなく、一般に公開されている管理サーバ装置のアドレスが含まれているものであるため、誰でも動画の視聴体験を共有したいシーンのシーンＩＤを含むＵＲＬを作成し公開することができる。そして、他のユーザは公開されたＵＲＬにアクセスするだけで多チャンネルの常時録画をしているＩＰ動画サーバ装置から該当する番組を容易に視聴し、動画の視聴体験を共有することができる。
【００８５】
≪実施例２≫
<概要>
本実施例は、上記実施例を基本として、リクエストされた放送番組のシーンがＩＰ動画サーバ装置に無い場合に、エラー処理として例えば該当シーンを含む番組を有料で再視聴可能なオンデマンド動画配信サイトなどのアドレスを返信するなど、視聴共有の代替となるような所定の処理を実行することを特徴とする動画共有システムである。
【００８６】
<機能的構成>
図９は、本実施例の動画共有システムにおける機能ブロックの一例を表す図である。この図にあるように、本実施例の動画共有システムは実施例１を基本として、複数の「ＩＰ端末装置」（０９００ａ〜ｃ）と、複数の「ＩＰ動画サーバ装置」（０９１０ａ〜ｃ）と、「管理サーバ装置」（０９２０）と、からなる。
【００８７】
そして本実施例の特徴点は、「ＩＰ動画サーバ装置」が、「判断部」（０９１１）と、「命令返信部」（０９１２）と、を有する点である。
【００８８】
「判断部」（０９１１）は、ＩＰ端末装置からのシーンＩＤによって特定可能なシーンから構成される放送番組を蓄積しているか否か判断する機能を有し、例えばＣＰＵなどの演算装置や判断プログラムなどによって実現することができる。
【００８９】
具体的に、自身が蓄積している放送番組の録画データに関して、その放送チャンネルや録画開始／終了時刻、あるいは放送番組名などの識別情報を場合によっては電子番組表なども参照して取得する。そして、その取得した録画済の放送番組の識別情報と、受信したシーンＩＤとを比較し、シーンＩＤで示されるチャンネルの番組を受信しているか、またそのシーンの放送時間を含む放送番組が録画されているかを判断する、という具合である。
【００９０】
そして録画されているとの判断結果であれば、そのシーンＩＤで特定される放送番組やそのシーンをリクエスト元のＩＰ端末装置に返信する処理を実行する。一方、録画されていないとの判断結果であれば、次の「命令返信部」によって例外処理を実行するための命令が送信される。
【００９１】
「命令送信部」（０９１２）は、蓄積していないとの判断結果である場合に所定の処理を実行する命令を当該ＩＰ端末装置に返信する機能を有し、インターネット通信回路や命令返信プログラムなどによって実現できる。
【００９２】
なお「所定の処理」とは、リクエストされた動画を蓄積していなかった場合に実行される例外処理であれば特に限定せず、例えば該当番組が無い旨を通知するメッセージ画面を表示するための命令が挙げられる。
【００９３】
あるいは、放送チャンネルの識別情報とその放送局の放送番組をオンデマンド配信する「見逃し番組配信サイト」のＵＲＬなどを関連付けて蓄積しておくことで、その「見逃し番組配信サイト」のトップページのＵＲＬやそのサイトの該当番組の視聴ページＵＲＬを含み端末装置上で当該ページを表示させる命令なども挙げられる。
【００９４】
また、例えば電子番組表を参照し該当番組に再放送を示すタグなどが付されていれば、すでにＤＶＤパッケージが販売されていると仮定し、ネット通販サイトなどにアクセスし該当番組名で検索する命令や、ＩＰ動画サーバ装置が検索を実行しその検索結果をＩＰ端末装置上で表示させるための命令なども挙げられる。
【００９５】
<処理の流れ>
図１０は、本実施例の動画共有サービスにおける処理の流れの一例を表すシーケンス図である。なお、以下に示す処理の流れは、計算機の各ハードウェア構成によって実行されるものであっても良いし、媒体に記録され計算機を制御するためのプログラムを構成するものであっても構わない。
【００９６】
この図にあるように、ＩＰ端末装置からのシーンＩＤを受信すると、そのシーンＩＤによって特定可能なシーンから構成される放送番組を蓄積しているか否かを、ＣＰＵの演算処理によって前述のようにシーンＩＤと録画番組の識別情報などとの比較を実行し判断する。そして蓄積していないとの判断結果である場合には、例えば該当番組が無い旨を通知するメッセージ画面を表示するための命令や、「見逃し番組配信サイト」の該当番組の視聴ページを表示させる命令、あるいは該当番組のＤＶＤパッケージが販売されているネット通販サイトなどにアクセスし該当番組名で検索する命令を当該ＩＰ端末装置に返信する。
【００９７】
<効果の簡単な説明>
以上のように本実施例の動画共有システムによって、他のユーザと動画の視聴体験を共有したい放送番組が自分の所持管理などするＩＰ動画サーバ装置に録画されていなかった場合に、例えばその他の手段で動画の視聴体験の共有を促すような命令が返信され実行させることができる。
【００９８】
≪実施例３≫
<概要>
本実施例は、上記実施例を基本として、そのシーンＩＤが放送局の識別情報、放送範囲の識別情報、放送形態の識別情報、そしてシーンの開始時間情報との組み合わせであることを特徴とする動画共有システムである。
【００９９】
<構成>
図１１は、本実施例の動画共有システムにおけるシーンＩＤの一例を表す図である。この図１１（ａ）にあるように、シーンＩＤには、例えば放送局の識別情報「０５」、放送範囲の識別情報「０１（関東地域）」、放送形態の識別情報「０１（地上波デジタル）」、当該番組の開始時刻情報「２０１０．０４０１．１９００」、そしてその番組中のシーンの開始位置を示す情報「１８００（フレーム位置）」などが含まれている。なお「放送形態」とは、地上波アナログ／デジタル、ＢＳ放送、ＣＳ放送、ケーブル放送などその伝送経路で分類されるものをいう。また、シーンの開始位置を示す情報は、番組の開始時刻からの経過時間やフレーム数などの情報で示されると良い。
【０１００】
そして、図１１（ｂ）に示すようなＵＲＬ「ｈｔｔｐ：／／ｘｘｘ．ｉｎｆｏ／？ｇｔｖｉｄ＝０５０１０１&Ｓｔｉｍｅ＝２０１００４０１１９００１８００」などによって管理サーバ装置に当該シーンＩＤが送信され、ＩＰ端末措置のリダイレクト処理によってＩＰ動画サーバ装置に転送される。そしてＩＰ動画サーバ装置では、このシーンＩＤを利用してＩＰ端末装置に配信する放送番組のシーンの動画を特定する、という具合である。
【０１０１】
<効果の簡単な説明>
以上のような構成を有する本実施例の動画共有システムによって、厳密に放送番組を特定し正しく動画の視聴体験を共有することができる。
【０１０２】
≪実施例４≫
<概要>
本実施例は、上記実施例を基本として、ＩＰ動画サーバ装置が蓄積する放送番組を、その放送開始／終了時刻で番組を区別して管理する機能を備えることを特徴とする動画共有システムである。
【０１０３】
すなわち、本発明のＩＰ動画サーバ装置は常時受信した番組を（記録媒体の容量が続く限り）中断することなく蓄積する機能を有するので、ファイルシステム上は基本的に蓄積される動画データが1チャンネルで1つのファイルとして管理されている。しかし、それではシーンＩＤなどで番組を特定することが難しいため、本実施例ではファイルシステム上では１ファイルとして管理されている複数の放送番組について、その放送開始／終了時刻を利用して番組別に管理する、という具合である。
【０１０４】
<機能的構成>
図１２は、本実施例の動画共有システムにおける機能ブロックの一例を表す図である。この図にあるように、本実施例の動画共有システムは実施例１を基本として、複数の「ＩＰ端末装置」（１２００ａ〜ｃ）と、複数の「ＩＰ動画サーバ装置」（１２１０ａ〜ｃ）と、「管理サーバ装置」（１２２０）と、からなる。また実施例２を基本として、「ＩＰ動画サーバ装置」が、図示しない「判断部」と「命令返信部」とを有していても良い。
【０１０５】
そして本実施例の特徴点は、「ＩＰ動画サーバ装置」が、「放送開始／終了時刻取得部」（１２１１）と、「番組ファイル管理部」（１２１２）と、を有する点である。
【０１０６】
「放送開始／終了時刻取得部」（１２１１）は、多数チャンネルの常時受信によって蓄積した放送番組の開始／終了時刻を取得する機能を有し、例えばＣＰＵなどの演算装置や放送開始／終了時刻取得プログラムなどによって実現することができる。具体的に、例えば電子番組表を参照し、その電子番組表の情報から所定のチャンネルにおける番組ごとの放送開始時刻／終了時刻を取得する、という具合である。
【０１０７】
「番組ファイル管理部」（１２１２）は、前記取得した放送開始／終了時刻で番組を区別し、区別した各番組を一つのファイルとして管理する機能を有し、例えばＣＰＵなどの演算装置や放送開始／終了時刻取得プログラムなどによって実現することができる。なお「ファイル」とは、その格納形式に関わらず動画データを番組として管理する際の管理単位を示す。
【０１０８】
そして、この番組ファイル管理部では、図１３（ｂ）に示すように、常時受信し蓄積されファイルシステム上では1ファイルとして管理されている蓄積動画データに関して、上記取得した放送開始／終了時刻情報を利用して図１３（ａ）に示すような管理用のテーブルデータを作成する。そして、そのテーブルデータによって各番組を区別しそれぞれを１つのファイルとして管理する、という具合である。
【０１０９】
<処理の流れ>
図１４は、本実施例の動画共有サービスにおける処理の流れの一例を表すフローチャートである。なお、以下に示す処理の流れは、計算機の各ハードウェア構成によって実行されるものであっても良いし、媒体に記録され計算機を制御するためのプログラムを構成するものであっても構わない。
【０１１０】
この図にあるように、ＩＰ動画サーバ装置は、常時受信しているチャンネルに関して録画蓄積処理を開始し、その録画開始時刻情報を取得する（ステップＳ１４０１）。そして例えば電子番組表を参照するなどして、チャンネルごとに蓄積した放送番組の開始／終了時刻を取得する（ステップＳ１４０２）。そして、前記取得した放送開始／終了時刻と、蓄積されている録画データの録画開始時刻及び経過時間をもとに番組を区別し（ステップＳ１４０３）、例えば図１３に示すようなテーブルデータを作成する。そして作成したテーブルデータを利用して区別した各番組を一つのファイルとして管理する、という具合である。
【０１１１】
<効果の簡単な説明>
以上のような構成を有する本実施例の動画共有システムによって、常時受信して蓄積されることでファイルシステム上は1つのファイルとして管理されている放送番組の録画データに関して、その放送開始／終了時刻を利用して番組別に管理することができる。
【符号の説明】
【０１１２】
０２００  ＩＰ端末装置
０２１０  ＩＰ動画サーバ装置
０２２０  管理サーバ装置
【図１】
2012039417.tif 000003
【図２】
2012039417.tif 000004
【図３】
2012039417.tif 000005
【図４】
2012039417.tif 000006
【図５】
2012039417.tif 000007
【図６】
2012039417.tif 000008
【図７】
2012039417.tif 000009
【図８】
2012039417.tif 000010
【図９】
2012039417.tif 000011
【図１０】
2012039417.tif 000012
【図１１】
2012039417.tif 000013
【図１２】
2012039417.tif 000014
【図１３】
2012039417.tif 000015
【図１４】
2012039417.tif 000016